(57)【要約】      （修正有）【課題】本の振れを抑えるランドセルを提供する。【解決手段】振れ止めランドセルは、バッキングプレート１４を含み、前記バッキングプレートの右側には連結板１３が回転できるように、且つスライドできるように設置され、前記バッキングプレートと前記連結板との間には振れ止め装置１００が連結され、前記連結板の右端にはランドセル１２が固定的に連結され、前記ランドセルの中にはランドセルチャンバ２６が設置され、前記連結板と前記ランドセルとの間には空気抜き装置１０１が連結される。空気抜き装置は前記ランドセルチャンバの中の空気を外部空間に排出することができ、仕切り層１１によって本を挟み、本が慣性による振れを抑え、前記振れ止め装置は前記連結板と前記ランドセルとの振れを抑えることができる。【選択図】図１
2020175163.tif 000002
【特許請求の範囲】
【請求項１】
正面視で、バッキングプレートを含み、前記バッキングプレートの右側には連結板が回転できるように、且つスライドできるように設置され、前記バッキングプレートと前記連結板との間には振れ止め装置が連結され、前記連結板の右端にはランドセルが固定的に連結され、前記ランドセルの中にはランドセルチャンバが設置され、前記連結板と前記ランドセルとの間には空気抜き装置が連結され、前記バッキングプレートの左側にはつけ装置が設置され、前記振れ止め装置は前記バッキングプレートの中に設置された右方に開口した振動ブロックチャンバを含み、前記振動ブロックチャンバの中には振動ブロックがスライドできるように設置され、前記振動ブロックの上下両端がそれぞれ前記振動ブロックチャンバの上下両側内壁との間には振動抑えバネが連結され、前記振動ブロックの中には右方に開口したトーションバネチャンバが設置され、前記トーションバネチャンバの中には連結軸が回転できるように設置され、前記連結軸が前記振動ブロックに回転できるように連結され、前記連結軸の左端と前記トーションバネチャンバの左側内壁との間には復帰トーションバネが連結され、前記連結軸の右端が前記連結板に固定的に連結され、前記空気抜き装置は前記連結板の中に固定的に設置された空気ポンプを含み、前記空気ポンプの上端には排気管が固定的に連結され、前記排気管の上端が外部空間に伸びており、前記排気管の中には排気通路が上下に貫通するように設置され、前記空気ポンプの右端には空気抜き管が固定的に連結され、前記空気抜き管の右端が前記ランドセルチャンバの中に伸びており、前記空気抜き管の中には空気抜き通路が左右に貫通するように設置され、前記ランドセルチャンバの前後内壁の間には三つの仕切り層が固定的に連結され、前記仕切り層の下端が前記ランドセルチャンバの下側内壁に固定的に連結され、前記空気抜き装置は前記ランドセルチャンバの中の空気を外部空間に排出することができ、前記仕切り層によって本を挟み、本が慣性による振れを抑え、前記振れ止め装置は前記連結板と前記ランドセルとの振れを抑えることができることを特徴とする振れ止めランドセル。
【請求項２】
前記つけ装置は前記バッキングプレートの中に前後対称的に設置された左方に開口した下収納チャンバを含み、前記下収納チャンバの上下内壁の間には鉛直軸が回転できるように連結され、前記鉛直軸には下プーリ１７が固定的に連結され、前記下プーリの上下両端と前記下収納チャンバの上下両側内壁との間にはそれぞれ下トーションバネが連結され、前記下プーリには横向きベルトが巻き付いており、前側の前記横向きベルトの左端には前引っ掛かりブロックが固定的に連結され、前記前引っ掛かりブロックの中には後方に開口した連通チャンバが設置され、前記連通チャンバの左側内壁の中には左方に開口した引っ掛かり溝が連通するように設置され、後側の前記横向きベルトの左端には後引っ掛かりブロックが固定的に連結され、前記後引っ掛かりブロックの中には前方に開口し、且つ左方に開口した引っ掛かり板チャンバが設置され、前記引っ掛かり板チャンバの上下内壁の間には回転軸が回転できるように連結され、前記回転軸には引っ掛かり板が固定的に連結され、前記引っ掛かり板の右端と前記引っ掛かり板チャンバの右側内壁との間には圧縮バネが固定的に連結され、前記つけ装置によってランドセルを負うのがもっと安定であることを特徴とする請求項１に記載の振れ止めランドセル。
【請求項３】
前記下収納チャンバの上側内壁の中には左方に開口した上収納チャンバが前後対称的に設置され、前記上収納チャンバの前後内壁の間には横向き軸が回転できるように連結され、前記横向き軸には上プーリが固定的に連結され、前記上プーリの前後両端と前記上収納チャンバの前後両側内壁との間にはそれぞれ上トーションバネが連結され、前記上プーリには鉛直ベルトが巻き付いており、前記鉛直ベルトの一端が前記上プーリに固定的に連結され、前記鉛直ベルトのもう一端が前記バッキングプレートの上側の左端面に固定的に連結され、前記鉛直ベルトを引き出し、両手が前記鉛直ベルトと前記バッキングプレートとの間を通し、前記鉛直ベルトを放した後に前記バッキングプレートを背に負うことができることを特徴とする請求項２に記載の振れ止めランドセル。
【請求項４】
前記上収納チャンバの上側内壁の中には左方に開口したスライドブロックチャンバが設置され、前記スライドブロックチャンバの中にはスライドブロックがスライドできるように設置され、前記スライドブロックチャンバの上下両側内壁の中には復帰チャンバが対称的に、且つ連通するように設置され、前記復帰チャンバの中には復帰スライドブロックがスライドできるように設置され、前記復帰スライドブロックが前記スライドブロックにが固定的に連結され、前記復帰スライドブロックの右端と前記復帰チャンバの右側内壁との間には復帰バネが固定的に連結され、前記スライドブロックチャンバの右側内壁の中には接触板が固定的に設置され、前記接触板が前記空気ポンプに通電できるように連結され、前記スライドブロックが前記接触板と接触した時に前記空気ポンプが起動することができることを特徴とする請求項３に記載の振れ止めランドセル。
【請求項５】
前記ランドセルチャンバの上側内壁には圧力センサーが固定的に設置され、前記圧力センサーが前記空気ポンプに通電できるように連結され、前記ランドセルチャンバの上側内壁の中にはチャックが設置され、前記チャックを閉め、前記圧力センサーが前記ランドセルチャンバの中の気圧をモニタリングし、その気圧の値が前記圧力センサーの設定した値より小さい時に前記空気ポンプを停止し、前記チャックを開けた後に前記ランドセルチャンバを外部空間に連通させることができることを特徴とする請求項４に記載の振れ止めランドセル。
【発明の詳細な説明】
【技術分野】
【０００１】
本発明はケースと鞄分野に関わり、具体的には振れ止めランドセルである。
【背景技術】
【０００２】
ランドセルは学生たちに負われて通学する物であり、学生たちはランドセルに本などを入れ、しかし、階段を登り又は降りる、それに速い速度で歩き又は走る時、ランドセルにある本は慣性のために上下へ振れ、それでランドセルを負っている人の行動に影響を及ぼし、従って、安定の振れ止めランドセルを設計する必要があり、本装置はランドセルチャンバの中の空気を抽出し、ランドセルチャンバを縮小して仕切りによって本を挟み、本の振れを抑え、同時に連結板とバッキングプレートとの間にバネとトーションバネとを連結することによって、振れる幅を減少し、更にランドセルが振れることによって人の行動に与える影響を減少する。
【先行技術文献】
【特許文献】
【０００３】
【特許文献１】中国特許出願公開第１０８２０９１２４号明細書
【発明の概要】
【発明が解決しようとする課題】
【０００４】
本発明は振れ止めランドセルを提供し、既存技術にある上記欠点を解消することを目的とする。
【課題を解決するための手段】
【０００５】
本発明は以下の技術プランによって実現される：本発明の振れ止めランドセルは、バッキングプレートを含み、前記バッキングプレートの右側には連結板が回転できるように、且つスライドできるように設置され、前記バッキングプレートと前記連結板との間には振れ止め装置が連結され、前記連結板の右端にはランドセルが固定的に連結され、前記ランドセルの中にはランドセルチャンバが設置され、前記連結板と前記ランドセルとの間には空気抜き装置が連結され、前記バッキングプレートの左側にはつけ装置が設置され、前記振れ止め装置は前記バッキングプレートの中に設置された右方に開口した振動ブロックチャンバを含み、前記振動ブロックチャンバの中には振動ブロックがスライドできるように設置され、前記振動ブロックの上下両端がそれぞれ前記振動ブロックチャンバの上下両側内壁との間には振動抑えバネが連結され、前記振動ブロックの中には右方に開口したトーションバネチャンバが設置され、前記トーションバネチャンバの中には連結軸が回転できるように設置され、前記連結軸が前記振動ブロックに回転できるように連結され、前記連結軸の左端と前記トーションバネチャンバの左側内壁との間には復帰トーションバネが連結され、前記連結軸の右端が前記連結板に固定的に連結され、前記空気抜き装置は前記連結板の中に固定的に設置された空気ポンプを含み、前記空気ポンプの上端には排気管が固定的に連結され、前記排気管の上端が外部空間に伸びており、前記排気管の中には排気通路が上下に貫通するように設置され、前記空気ポンプの右端には空気抜き管が固定的に連結され、前記空気抜き管の右端が前記ランドセルチャンバの中に伸びており、前記空気抜き管の中には空気抜き通路が左右に貫通するように設置され、前記ランドセルチャンバの前後内壁の間には三つの仕切り層が固定的に連結され、前記仕切り層の下端が前記ランドセルチャンバの下側内壁に固定的に連結され、前記空気抜き装置は前記ランドセルチャンバの中の空気を外部空間に排出することができ、前記仕切り層によって本を挟み、本が慣性による振れを抑え、前記振れ止め装置は前記連結板と前記ランドセルとの振れを抑えることができる。
【０００６】
さらなる技術プランとして、前記つけ装置は前記バッキングプレートの中に前後対称的に設置された左方に開口した下収納チャンバを含み、前記下収納チャンバの上下内壁の間には鉛直軸が回転できるように連結され、前記鉛直軸には下プーリが固定的に連結され、前記下プーリの上下両端と前記下収納チャンバの上下両側内壁との間にはそれぞれ下トーションバネが連結され、前記下プーリには横向きベルトが巻き付いており、前側の前記横向きベルトの左端には前引っ掛かりブロックが固定的に連結され、前記前引っ掛かりブロックの中には後方に開口した連通チャンバが設置され、前記連通チャンバの左側内壁の中には左方に開口した引っ掛かり溝が連通するように設置され、後側の前記横向きベルトの左端には後引っ掛かりブロックが固定的に連結され、前記後引っ掛かりブロックの中には前方に開口し、且つ左方に開口した引っ掛かり板チャンバが設置され、前記引っ掛かり板チャンバの上下内壁の間には回転軸が回転できるように連結され、前記回転軸には引っ掛かり板が固定的に連結され、前記引っ掛かり板の右端と前記引っ掛かり板チャンバの右側内壁との間には圧縮バネが固定的に連結され、前記つけ装置によってランドセルを負うのがもっと安定である。
【０００７】
さらなる技術プランとして、前記下収納チャンバの上側内壁の中には左方に開口した上収納チャンバが前後対称的に設置され、前記上収納チャンバの前後内壁の間には横向き軸が回転できるように連結され、前記横向き軸には上プーリが固定的に連結され、前記上プーリの前後両端と前記上収納チャンバの前後両側内壁との間にはそれぞれ上トーションバネが連結され、前記上プーリには鉛直ベルトが巻き付いており、前記鉛直ベルトの一端が前記上プーリに固定的に連結され、前記鉛直ベルトのもう一端が前記バッキングプレートの上側の左端面に固定的に連結され、前記鉛直ベルトを引き出し、両手が前記鉛直ベルトと前記バッキングプレートとの間を通し、前記鉛直ベルトを放した後に前記バッキングプレートを背に負うことができる。
【０００８】
さらなる技術プランとして、前記上収納チャンバの上側内壁の中には左方に開口したスライドブロックチャンバが設置され、前記スライドブロックチャンバの中にはスライドブロックがスライドできるように設置され、前記スライドブロックチャンバの上下両側内壁の中には復帰チャンバが対称的に、且つ連通するように設置され、前記復帰チャンバの中には復帰スライドブロックがスライドできるように設置され、前記復帰スライドブロックが前記スライドブロックに固定的に連結され、前記復帰スライドブロックの右端と前記復帰チャンバの右側内壁との間には復帰バネが固定的に連結され、前記スライドブロックチャンバの右側内壁の中には接触板が固定的に設置され、前記接触板が前記空気ポンプに通電できるように連結され、前記スライドブロックが前記接触板と接触した時に前記空気ポンプが起動することができる。
【０００９】
さらなる技術プランとして、前記ランドセルチャンバの上側内壁には圧力センサーが固定的に設置され、前記圧力センサーが前記空気ポンプに通電できるように連結され、前記ランドセルチャンバの上側内壁の中にはチャックが設置され、前記チャックを閉め、前記圧力センサーが前記ランドセルチャンバの中の気圧をモニタリングし、その気圧の値が前記圧力センサーの設定した値より小さい時に前記空気ポンプを停止し、前記チャックを開けた後に前記ランドセルチャンバを外部空間に連通させることができる。
【発明の効果】
【００１０】
本発明の有益な効果は：本発明は構成が簡単で、操作が便利で、ランドセルチャンバの中の空気を抽出し、ランドセルチャンバの空間を縮小して仕切りによって本を挟み、本の振れを抑え、同時に連結板とバッキングプレートとの間にバネとトーションバネとを連結することによって、振れる幅を減少し、更にランドセルが振れることによって人の行動に与える影響を減少する。
【図面の簡単な説明】
【００１１】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の振れ止めランドセルの内部構成概略図
【図２】図２は図１の中の「Ａ」の拡大概略図
【図３】図３は図１の中の「Ｂ―Ｂ」方向の構成概略図
【図４】図４は図１の中の「Ｃ」の拡大概略図
【図５】図５は図２の中の「Ｄ―Ｄ」方向の構成概略図
【発明を実施するための形態】
【００１３】
図１〜５を参照し、本発明の振れ止めランドセルは、バッキングプレート１４を含み、前記バッキングプレート１４の右側には連結板１３が回転できるように、且つスライドできるように設置され、前記バッキングプレート１４と前記連結板１３との間には振れ止め装置１００が連結され、前記連結板１３の右端にはランドセル１２が固定的に連結され、前記ランドセル１２の中にはランドセルチャンバ２６が設置され、前記連結板１３と前記ランドセル１２との間には空気抜き装置１０１が連結され、前記バッキングプレート１４の左側にはつけ装置１０２が設置され、前記振れ止め装置１００は前記バッキングプレート１４の中に設置された右方に開口した振動ブロックチャンバ３６を含み、前記振動ブロックチャンバ３６の中には振動ブロック３８がスライドできるように設置され、前記振動ブロック３８の上下両端がそれぞれ前記振動ブロックチャンバ３６の上下両側内壁との間には振動抑えバネ３７が連結され、前記振動ブロック３８の中には右方に開口したトーションバネチャンバ４１が設置され、前記トーションバネチャンバ４１の中には連結軸４０が回転できるように設置され、前記連結軸４０が前記振動ブロック３８に回転できるように連結され、前記連結軸４０の左端と前記トーションバネチャンバ４１の左側内壁との間には復帰トーションバネ３９が連結され、前記連結軸４０の右端が前記連結板１３に固定的に連結され、前記空気抜き装置１０１は前記連結板１３の中に固定的に設置された空気ポンプ４７を含み、前記空気ポンプ４７の上端には排気管５０が固定的に連結され、前記排気管５０の上端が外部空間に伸びており、前記排気管５０の中には排気通路５１が上下に貫通するように設置され、前記空気ポンプ４７の右端には空気抜き管４８が固定的に連結され、前記空気抜き管４８の右端が前記ランドセルチャンバ２６の中に伸びており、前記空気抜き管４８の中には空気抜き通路４９が左右に貫通するように設置され、前記ランドセルチャンバ２６の前後内壁の間には三つの仕切り層１１が固定的に連結され、前記仕切り層１１の下端が前記ランドセルチャンバ２６の下側内壁に固定的に連結され、前記空気抜き装置１０１は前記ランドセルチャンバ２６の中の空気を外部空間に排出することができ、前記仕切り層１１によって本を挟み、本が慣性による振れを抑え、前記振れ止め装置１００は前記連結板１３と前記ランドセル１２との振れを抑えることができる。
【００１４】
有益なように、前記つけ装置１０２は前記バッキングプレート１４の中に前後対称的に設置された左方に開口した下収納チャンバ２２を含み、前記下収納チャンバ２２の上下内壁の間には鉛直軸１５が回転できるように連結され、前記鉛直軸１５には下プーリ１７が固定的に連結され、前記下プーリ１７の上下両端と前記下収納チャンバ２２の上下両側内壁との間にはそれぞれ下トーションバネ１６が連結され、前記下プーリ１７には横向きベルト１８が巻き付いており、前側の前記横向きベルト１８の左端には前引っ掛かりブロック１９が固定的に連結され、前記前引っ掛かりブロック１９の中には後方に開口した連通チャンバ２１が設置され、前記連通チャンバ２１の左側内壁の中には左方に開口した引っ掛かり溝２０が連通するように設置され、後側の前記横向きベルト１８の左端には後引っ掛かりブロック４２が固定的に連結され、前記後引っ掛かりブロック４２の中には前方に開口し、且つ左方に開口した引っ掛かり板チャンバ４６が設置され、前記引っ掛かり板チャンバ４６の上下内壁の間には回転軸４４が回転できるように連結され、前記回転軸４４には引っ掛かり板４５が固定的に連結され、前記引っ掛かり板４５の右端と前記引っ掛かり板チャンバ４６の右側内壁との間には圧縮バネ４３が固定的に連結され、前記つけ装置１０２によってランドセルを負うのがもっと安定である。
【００１５】
有益なように、前記下収納チャンバ２２の上側内壁の中には左方に開口した上収納チャンバ２７が前後対称的に設置され、前記上収納チャンバ２７の前後内壁の間には横向き軸２８が回転できるように連結され、前記横向き軸２８には上プーリ２９が固定的に連結され、前記上プーリ２９の前後両端と前記上収納チャンバ２７の前後両側内壁との間にはそれぞれ上トーションバネ５２が連結され、前記上プーリ２９には鉛直ベルト２３が巻き付いており、前記鉛直ベルト２３の一端が前記上プーリ２９に固定的に連結され、前記鉛直ベルト２３のもう一端が前記バッキングプレート１４の上側の左端面に固定的に連結され、前記鉛直ベルト２３を引き出し、両手が前記鉛直ベルト２３と前記バッキングプレート１４との間を通し、前記鉛直ベルト２３を放した後に前記バッキングプレート１４を背に負うことができる。
【００１６】
有益なように、前記上収納チャンバ２７の上側内壁の中には左方に開口したスライドブロックチャンバ３１が設置され、前記スライドブロックチャンバ３１の中にはスライドブロック３０がスライドできるように設置され、前記スライドブロックチャンバ３１の上下両側内壁の中には復帰チャンバ３４が対称的に、且つ連通するように設置され、前記復帰チャンバ３４の中には復帰スライドブロック３３がスライドできるように設置され、前記復帰スライドブロック３３が前記スライドブロック３０に固定的に連結され、前記復帰スライドブロック３３の右端と前記復帰チャンバ３４の右側内壁との間には復帰バネ３５が固定的に連結され、前記スライドブロックチャンバ３１の右側内壁の中には接触板３２が固定的に設置され、前記接触板３２が前記空気ポンプ４７に通電できるように連結され、前記スライドブロック３０が前記接触板３２と接触した時に前記空気ポンプ４７が起動することができる。
【００１７】
有益なように、前記ランドセルチャンバ２６の上側内壁には圧力センサー２４が固定的に設置され、前記圧力センサー２４が前記空気ポンプ４７に通電できるように連結され、前記ランドセルチャンバ２６の上側内壁の中にはチャック２５が設置され、前記チャック２５を閉め、前記圧力センサー２４が前記ランドセルチャンバ２６の中の気圧をモニタリングし、その気圧の値が前記圧力センサー２４の設定した値より小さい時に前記空気ポンプ４７を停止し、前記チャック２５を開けた後に前記ランドセルチャンバ２６を外部空間に連通させることができる。
【００１８】
使用の時、本を仕切り層１１の間に置き、チャック２５を閉めてランドセルチャンバ２６を封鎖し、両側の横向きベルト１８を引き出し、引っ掛かり板４５が連通チャンバ２１の中に伸び、引っ掛かり板４５が引っ掛かり溝２０と正対した時、圧力バネ４３の弾力の作用の下で、引っ掛かり板４５が引っ掛かり溝２０の中に伸び、また後引っ掛かりブロック４２と前引っ掛かりブロック１９とを引っ掛からせ、鉛直ベルト２３を引き出し、両手が鉛直ベルト２３とバッキングプレート１４との間を通し、鉛直ベルト２３を放した後にバッキングプレート１４を背に負うことができ、同時に後背でスライドブロック３０を押し動かしてスライドさせて接触板３２と接触させ、この時に空気ポンプ４７が起動し、更に空気抜き管４８と空気抜き通路４９とによってランドセルチャンバ２６の中の空気を吸い込み、また排気管５０と排気通路５１とによって空気を排出し、更にランドセルチャンバ２６の空間を圧縮し、この時に仕切り層１１が本を挟み、本の振れを抑え、人が階段を登り又は降りる、それに速い速度で歩き又は走る時、振動抑えバネ３７が振動ブロック３８の上下への振動を弱めることができ、更に連結板１３とランドセル１２との振動を弱め、同時に人が歩く時、ランドセルは左右へ揺れ動き、復帰バネ３９の弾力作用の下で連結板１３の左右への揺れ動きを減少することができ、圧力センサー２４が即時にランドセルチャンバ２６の中の気圧をモニタリングし、その気圧の値が圧力センサー２４の設定した値より小さい時に空気ポンプ４７を停止し、ランドセルを下ろした後、引っ掛かり板４５を押し、後引っ掛かりブロック４２と前引っ掛かりブロック１９とが分離し、下トーションバネ１６と上トーションバネ５２との弾力作用の下で横向きベルト１８と鉛直ベルト２３とを引き締め、この時にチャック２５を開けてランドセルチャンバ２６を外部空間に連通させる。
【００１９】
本発明の有益な効果は：本発明は構成が簡単で、操作が便利で、ランドセルチャンバの中の空気を抽出し、ランドセルチャンバの空間を縮小して仕切りによって本を挟み、本の振れを抑え、同時に連結板とバッキングプレートとの間にバネとトーションバネとを連結することによって、振れる幅を減少し、更にランドセルが振れることによって人の行動に与える影響を減少する。
【００２０】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020175163.tif 000003
【図２】
2020175163.tif 000004
【図３】
2020175163.tif 000005
【図４】
2020175163.tif 000006
【図５】
2020175163.tif 000007